【手続補正書】
【提出日】平成17年9月7日(2005.9.7)
【手続補正１】
【補正対象書類名】明細書
【補正対象項目名】全文
【補正方法】変更
【補正の内容】
【書類名】          明細書
【発明の名称】    バックアップファン切替構造とこれを用いた機器
【特許請求の範囲】
【請求項１】  機器中に２つの冷却ファンを装備し、一方のファンが故障した場合、もう一方のファンを駆動するバックアップファン切替構造において、
２つの冷却ファンを隣同士並べてＶ字状に配置するとともに、このＶ字状の角度よりも小さい角度のＶ字状の塞ぎ板を、前記冷却ファン間に、前記冷却ファン間を支点として回動可能に配置し、塞ぎ板の一方が、運転を開始した冷却ファンの排気口を開けたときに、他方の塞ぎ板が故障ファンの排気口を塞ぐことを特徴とするバックアップファン切替構造。
【請求項２】内部に２つの冷却ファンを装備した機器において、請求項１に記載のバックアップファン切替構造を有することを特徴とする機器。
【発明の詳細な説明】
【０００１】
【発明の属する技術分野】
本発明は、複数の冷却ファンを有する盤などの機器におけるバックアップファン切替構造と、これを用いた盤などの機器に関するものである。
【０００２】
【従来の技術】
従来、盤などの機器には、内部に複数個の冷却ファンを装備し、一方のファンが故障した場合、もう一方のファンを駆動する、いわゆるバックアップファンを備えた構造が採用されている（例えば特許文献１）。
例えば２つの冷却ファンは、機器の内部に取付けられており、２つある排気口のうちの１つを、塞ぎ板や自動シャッタで塞ぐことにより、稼動していないファンの排気口からの空気の流入を防ぐようにしている。これには、例えば、図３から図５に示すいくつかの方式がある。
図３は塞ぎ板取り替え方式で、機器１に取付けた冷却ファン２とバックアップファン（予備冷却ファン）３の排気口４ａ，４ｂのうち、稼動していないファンの排気口を塞ぎ板５で塞ぐようにしたものである（第１の従来技術）。
図４はシャッター方式で、機器１の内部に取付けられた冷却ファン２とバックアップファン３のそれぞれの排気口４ａ，４ｂに、風圧によって開閉する自動シャッター６ａ，６ｂを設けるようにしたものである（第２の従来技術）。
図５は塞ぎ板支え方式で、機器１に取付けられた冷却ファン２とバックアップファン３のそれぞれの排気口４ａ，４ｂに、風圧に支えられて上下動し、上にあがったときに排気口４ａ，４ｂを開放する塞ぎ板７ａ，７ｂを設けるようにしたものである（第３の従来技術）。
【０００３】
【特許文献１】
特開２０００−１６６０３０号公報
【０００４】
【発明が解決しようとする課題】
しかしながら、このような従来技術においては、次のような問題があった。
（１）第１の従来技術である、図３の塞ぎ板取り替え方式においては、バックアップファン３の塞ぎ板５を取って排気口４ａを開放し、その後故障した冷却ファン２の排気口４ｂを塞ぎ板５で閉じてやる必要がある。これは手間がかかり、故障時に迅速な切替ができず、バックアップファンとしての役割を充分に果たすことができない。
（２）第２の従来技術である、図４のシャッター方式においては、自動シャッタ６ａ，６ｂを用いているため、ファン切替時にはバックアップファン３が稼動し始めるとともに排気口４ｂが開き、故障した冷却ファン２の排気口４ａは塞がれる。これは自動的に切替ができるが、自動シャッタ６ａ，６ｂは閉じた状態でもある程度の隙間がある為、密閉性が悪く本来の冷却性能を発揮できない。
（３）第３の従来技術である、図５の塞ぎ板支え方式においては、塞ぎ板７ａ，７ｂを風圧で浮き上がらせて上下動させ、排気口４ａ，４ｂを開閉させる構造なので、前記第１の従来技術および第２の従来技術の問題点は解決されているが、塞ぎ板７ａ，７ｂを両ファン２，３の風圧で支えているため、排気口４ａ，４ｂでの圧力損失（ロス）が大きく、ファンの性能を充分に発揮できない。
本発明は、このような問題を解決するためになされたもので、ファン故障時におけるバックアップファンへの迅速な切替を容易に行なうことができ、且つ密閉性を持ち、圧力損失の少ない構造とすることを目的とするものである。
【０００５】
【課題を解決するための手段】
上記問題を解決するため、本発明は、機器中に２つの冷却ファンを装備し、一方のファンが故障した場合、もう一方のファンを駆動するバックアップファン切替構造において、２つの冷却ファンを隣同士並べてＶ字状に配置するとともに、このＶ字状の角度よりも小さい角度のＶ字状の塞ぎ板を、前記冷却ファン間に、前記冷却ファン間を支点として回動可能に配置し、塞ぎ板の一方が、運転を開始した冷却ファンの排気口を開けたときに、他方の塞ぎ板が故障ファンの排気口を塞ぐようにしたものである。
また、内部に２つの冷却ファンを装備した機器において、前記バックアップファン切替構造を備えるようにしたものである。
【０００６】
【発明の実施の形態】
以下、本発明の実施例を図１および図２に基づいて説明する。
図１は、本発明の実施例におけるバックアップファン切替構造を示す斜視図である。図２は、図１のバックアップファン切替構造における切替動作を説明する側断面図で、（ａ）は冷却ファンの稼動状態を示し、（ｂ）は冷却ファンが停止しバックアップファンが稼動を始めた直後の塞ぎ板の回動状態を示し、（ｃ）は塞ぎ板が冷却ファンの排気口を塞いだ位置で留まり、ファンの切替が終了した状態を示している。
図１において、盤などの機器１は、例えば上部に冷却ファン２とバックアップファン３とを隣同士に並べてＶ字状に配置している。それぞれの排気口４ａ，４ｂも、２つのファン２，３に合わせてＶ字状の位置関係に設定されている。
また、このＶ字状の角度よりも小さい角度に設定したＶ字状の塞ぎ板５を、前記冷却ファン２とバックアップファン３間に、このファン間を支点として回動可能に配置している。塞ぎ板５は、稼動していないファンの排気口からの空気の流入を防ぐものである。このような構成におけるバックアップファンの切替は次のようにして行う。
まず、図２（ａ）に示すように、右側の冷却ファン２が稼動中には、Ｖ字状の右側の塞ぎ板７ａは、右側の排気口４ａを開放しており、反対側の左側の塞ぎ板７ｂは左側のバックアップファン３の排気口４ｂを塞いでいる。この際、塞ぎ板７ａが冷却ファン２の排気の抵抗とならないよう、塞ぎ板７ａ，７ｂは適切な角度を持った大きく開くＶ字状の形状に設定されている。
何らかの原因で冷却ファン２が故障すると、図２（ｂ）に示すように、左側のバックアップファン３が稼動を始め、風圧によって、前記バックアップファン３の排気口４ｂを覆っていた塞ぎ板７ｂが矢印方向に回転を始める。
塞ぎ板７ｂがさらに回転をして略垂直の位置に達したとき、図２（ｃ）に示すように、塞ぎ板７ａが冷却ファン２の排気口４ａを塞ぐ。この際、塞ぎ板７ａの自重およびバックアップファン３の吸い込みにより密閉性を高めることができる。
これにより、冷却ファンの故障時におけるバックアップファンへの自動的な切替を、密閉性が高く圧力損失の少ない条件で、容易に行なうことができる。
【０００７】
【発明の効果】
以上述べたように、本発明によれば、機器中に装備した冷却ファンとバックアップファンの排気口の塞ぎ板を共用化し、一方のファンの稼動時には他方のファンの排気口を確実に塞ぐとともに、他方のファンの排気抵抗を極力小さくしているので、冷却ファン故障時におけるバックアップファンへの自動的な切替を、密閉性が高く圧力損失の少ない条件で、容易に行なうことができる効果がある。
【図面の簡単な説明】
【図１】本発明の実施例におけるバックアップファン切替構造を示す斜視図である。
【図２】図１のバックアップファン切替構造における切替動作を説明する側断面図で、（ａ）は冷却ファンの稼動状態を示し、（ｂ）は冷却ファンが停止しバックアップファンが稼動を始めた直後の塞ぎ板の回動状態を示し、（ｃ）は塞ぎ板が冷却ファンの排気口を塞いだ位置で留まり、ファンの切替が終了した状態を示している。
【図３】第１の従来技術示す側断面図である。
【図４】第２の従来技術を示す斜視図である。
【図５】第３の従来技術を示す斜視図である。
【符号の説明】
１    機器
２    冷却ファン
３    バックアップファン
４ａ，４ｂ    排気口
５    塞ぎ板
６ａ，６ｂ    自動シャッター
７ａ，７ｂ    塞ぎ板